(57)【特許請求の範囲】
【請求項１】
保護箱外に一端部を突出したラッチ回動軸の先端にその直径方向にラッチ板の一側面を固着し、門扉にデッドボルトを上下方向に取り付けるとともに、
モーターにより伝動機構を介してラッチ回動軸を回転し前記ラッチ板の先端側を斜め上向きに傾動させた状態で門扉の前記デッドボルトの下端部が当接する位置に前記ラッチ板を設け、
前記伝動機構を、電磁ブレーキを装着した回転原動軸に回動レバーを突設しラッチ回動軸にはラッチ側回動レバーを各々突設して前記回動レバーの先端部とラッチ側回動レバーの先端部とを上下方向に配置した連結プレートを介して回動自在に連結する構成とし、
前記ラッチ板を常に水平方向に押し下げる押し下げプレートをラッチ回動軸に突設し、押し下げバネで前記押し下げプレートを常に押し下げることを特徴とする引戸門扉用電気錠。
【発明の詳細な説明】
【０００１】
【発明の属する技術分野】
本発明は、遠隔操作により施解錠が可能な引戸門扉用電気錠に関する。
【０００２】
【従来の技術】
従来の引戸門扉の施錠方法は、南京錠を用いて施錠する方法とか、或いは、棒状のものを穴内に降下させて挿入施錠する落とし錠の形式のものが多く採用されており、また遠隔操作ができるものとしてはサッシなどに組み込まれる電気錠を利用したものも知られている。
【０００３】
【発明が解決しようとする課題】
引戸門扉は大型で重量のあるものが多く、従来のサッシなどに用いる電気錠を使用した場合、遠隔操作が可能である反面、破損しやすい難点があり、また、従来の落とし錠は、穴などが固定式でゴミ等が詰まりやすく、シリンダー式の南京錠等、鍵による施解錠は遠隔操作をすることができないのみならず、取付け取外し作業も煩わしく、更に門扉を境として敷地外側と内側両方から施解錠をすることができない問題点を有していた。
【０００４】
本発明はこれらの問題点を解決し、門扉の施解錠が遠隔操作で可能となり、しかも大型門扉に採用しても破損することの無い引戸門扉用電気錠を提供する目的で発明されたものである。
【０００５】
【課題を解決するための手段】
保護箱外に一端部を突出したラッチ回動軸の先端にその直径方向にラッチ板の一側面を固着し、門扉にデッドボルトを上下方向に取り付けるとともに、
モーターにより伝動機構を介してラッチ回動軸を回転し前記ラッチ板の先端側を斜め上向きに傾動させた状態で門扉の前記デッドボルトの下端部が当接する位置に前記ラッチ板を設け、前記伝動機構を、電磁ブレーキを装着した回転原動軸に回動レバーを突設しラッチ回動軸にはラッチ側回動レバーを各々突設して前記回動レバーの先端部とラッチ側回動レバーの先端部とを上下方向に配置した連結プレートを介して回動自在に連結する構成とし、前記ラッチ板を常に水平方向に押し下げる押し下げプレートをラッチ回動軸に突設し、押し下げバネで前記押し下げプレートを常に押し下げ方向（ラッチ板の先端側が下がる方向）に付勢することを特徴としている。
【０００６】
【発明の実施の形態】
本発明を図面に基づいて説明すると、図１〜図３においてラッチ回動軸１は、門扉２の近くに設けた保護箱３内において、門扉２の進行方向と直角方向に軸受４、４により回動自在に支承し、且つラッチ回動軸１の一端部は、門扉２の走行する略側面位置にまで突出して設ける。ラッチ板５は略直方形の鋼鉄材の面板で形成し、ラッチ板５の内側面６を前記ラッチ回動軸１の先端面７に直径方向に固着する。さらに詳しくは、内側面６の略１／２の表面積で形成する基部側の側面８をラッチ板５の先端面７に固着する。このように形成すると、ラッチ回動軸１の回動によりラッチ板５の他方の先端側が上下方向に傾動するようになる。さらにこの場合、ラッチ板５の巾方向の中心線を門扉２に縦方向に取り付けたデッドボルト９の進行線上に一致させることが好ましい。
【０００７】
伝動機構を構成する回転原動軸１０は、前記ラッチ回動軸１の上側位置にラッチ回動軸１と平行に軸受１１、１１で支承して取り付ける。回動レバー１２は略直方形の鋼板材を用い回転原動軸１０の外周面に沿って巾方向の一側面を固着して回転原動軸１０の直径方向に枝状に突出する。ラッチ側回動レバー１３は、前記回動レバー１２の直下位置のラッチ回動軸１の外周面に回動レバー１２と平行に固着し、ラッチ側回動レバー１３の先端部と前記回動レバー１２の先端部とに連結プレート１４の両端部を枢着１５、１５して連結する。この場合、回転レバー１２及びラッチ側回転レバー１３の取付け角度は、ラッチ板５の最適傾動角度と合致させることが望ましい。
【０００８】
押し下げプレート１６は、略直方形の鋼板を用いて内側に芯棒挿入長孔１７を穿設したうえ、ラッチ回動軸１の外周面にラッチ板５と略平行な方向にその一端基部を固着する。押し下げバー１８は、押し下げプレート１６と斜交する斜め上位置で一端部を吊下軸１９で揺動自在に吊下げし、芯軸２０に押し下げバネ２１を遊嵌して芯軸２０の下端側を前記芯棒挿入長孔１７に遊嵌し、押し下げバネ２１にて押し下げプレート１６を常に押し下げる。
【０００９】
リミットスイッチ２２、２２はラッチ回動軸１の外周面突起部に当接せしめて回転位置を決定し、 後述する電磁ブレーキ２３等を停止させる。電磁ブレーキ２３は回転原動軸１０の一端部に設ける。モータ２４は回転原動軸１０の駆動用のモーターで、モーター２４の回転軸に取付けた原動プーリー２５と回転原動軸１０に取付けた受動プーリー２６とに伝動ベルト２７を巻掛けする。リミットスイッチ２８は、門扉２の位置決め用のリミットスイッチで、例えば門扉２の施錠位置でのデッドボルト９に当接する位置に設ける。
【００１０】
次に作用について述べると、門扉２を施錠状態にするためには、モーター２４を回転すると回転原動軸１０も回転し、回動レバー１２も同時に回転して連結プレート１４を押し下げてラッチ側回動レバー１３がラッチ回動軸１を回動し、ラッチ板５の先端側が斜め上方向に傾く（図１において点線位置、図３において実線位置）と、門扉２のデッドボルト９の下端部がラッチ板５の先端に当接して門扉２は開放方向には走行不可能で施錠状態に確保される。この場合、ラッチ板５が所定の角度に傾いた位置にてラッチ回動軸１の回動角度をリミットスイッチ２２で検出し、電気回路（図示せず）を介して電気ブレーキ２３が作動し、ラッチ回動軸１の回転をその停止位置に保持する。
【００１１】
次に門扉２を解錠状態にする場合は、電磁ブレーキ２３の通電状態を解除することにより、押し下げバネ２１が押し下げプレート１６を押し下げてラッチ回動軸１は施錠方向とは逆方向に回転し、ラッチ板５を水平位置（図１において実線位置、図３において点線位置）にまで回転させることにより、デッドボルト９の下端部がラッチ板５上を通過可能な状態になるので、門扉２は解錠状態になる。
【００１２】
またデッドボルト９はバネ圧で常に下方に常押し状態の構成（例えば特開平１１−２２３５０号公報参照）にしておくと、ラッチ板５が斜め上方向に傾いた状態であっても門扉２を閉める場合のみはデッドボルト９がラッチ板５上を滑って上昇し、ラッチ板５を乗り越えてから施錠が可能に設計することもでき、また、手動でデッドボルト９を上昇させることにより頻繁な解錠使用にも対応することができる。
【００１３】
【実施例】
回転原動軸１０に回動レバー１２を突設する場合、及びラッチ回動軸１にラッチ側回動レバー１３を突設する場合に、回転原動軸１０及びラッチ回動軸１の外周面に環状のカラーを固着し、該カラーの外周面に各々回動レバー１２，及びラッチ側回動レバー１３を突出して取付けると加工が容易となる。
また、本発明はラッチ板５を取付けたラッチ回動軸１をモーター２４の原動力で回動傾けさすことが主要部で、そのためモーター２４とラッチ回動軸１間の伝動機構はかならずしも本発明の構成に限定されるものではなく、例えばチエン等で伝動することも可能である。
【００１４】
【発明の効果】
以上説明した如く、本発明を実施すると、基本的にはモーターの回転と電磁ブレーキの作用とで、門扉のデッドボルトに当接するラッチ板を傾動、保持して門扉の施解錠が可能となるため、遠隔操作が可能となり、また、モーター等の制御電気回路部品が門扉側ではなく床に設置する保護箱内に取り込めるため破損も防止でき、さらに施錠状態のラッチ板にデッドボルトを強引に押し当て門扉を開こうとしても仮に電磁ブレーキの抑止力を越えて逆方向にラッチ回動軸を一時的に回せても連結プレートがラッチ回動軸に当たって、それ以上の回動は破壊しないかぎり不可能で、これらの部品をより強固にすることにより防犯上の安全性が保障される。
【図面の簡単な説明】
【図１】保護箱の正面部分を欠載した引戸門扉用電気錠の正面図である。
【図２】保護箱の天井面を欠載した引戸門扉用電気錠の平面図である。
【図３】引戸門扉用電気錠の施解錠状態を示す説明図である。
【符号の説明】
１          ラッチ回動軸
２          門扉
３          保護箱
５          ラッチ板
７          先端面
９          デッドボルト
１０        回転原動軸
１２・１３  回動レバー
１４        連結プレート
１６        押し下げプレート
１８        押し下げバー
２１        押し下げバネ
２３        電磁ブレーキ
２４        モーター
【図１】
0003592661.tif 000002
【図２】
0003592661.tif 000003
【図３】
0003592661.tif 000004